(57)【特許請求の範囲】
【請求項１】
駆動ローラーと、
前記駆動ローラーの回転により記録媒体を移動させる無端ベルトと、
前記駆動ローラーの原点位置と前記無端ベルトの移動誤差との関係を表すローラー補正テーブルを取得するローラー補正テーブル取得手段と、
前記無端ベルトの原点位置と前記無端ベルトの移動誤差との関係を表すベルト補正テーブルを取得するベルト補正テーブル取得手段と、
前記ローラー補正テーブルと前記ベルト補正テーブルとに基づいて前記駆動ローラーの回転量を算出して前記駆動ローラーの駆動を制御する制御部と、
印刷時に指定される印刷条件に対応する前記ローラー補正テーブル及び前記ベルト補正テーブルと、
を有し、
前記制御部は、指定された印刷条件に適合する前記ローラー補正テーブル及び前記ベルト補正テーブルを選択し、
前記印刷条件は、前記記録媒体を搬送させる際の張力に関する条件を含むことを特徴とする印刷装置。
【請求項２】
前記印刷条件は、印刷品質を含むこと、を特徴とする請求項１に記載の印刷装置。
【請求項３】
前記印刷条件は、前記記録媒体の媒体種類を含むこと、を特徴とする請求項１または請求項２に記載の印刷装置。
【請求項４】
駆動ローラーと、
前記駆動ローラーの回転により記録媒体を移動させる無端ベルトと、
前記駆動ローラーの原点位置と前記無端ベルトの移動誤差との関係を表すローラー補正テーブルを取得するローラー補正テーブル取得手段と、
前記無端ベルトの原点位置と前記無端ベルトの移動誤差との関係を表すベルト補正テーブルを取得するベルト補正テーブル取得手段と、
前記ローラー補正テーブルと前記ベルト補正テーブルとに基づいて前記駆動ローラーの回転量を算出して前記駆動ローラーの駆動を制御する制御部と、
前記記録媒体の移動方向において、前記無端ベルトの上流側及び下流側の少なくとも一方に前記記録媒体に加わる張力を計測する張力計測部と、
前記張力計測部で計測されうる張力に対応する前記ローラー補正テーブル及び前記ベルト補正テーブルと、を有し、
前記制御部は、前記張力計測部で計測された張力に適合する前記ローラー補正テーブル及び前記ベルト補正テーブルを選択することを特徴とする印刷装置。
【発明の詳細な説明】
【技術分野】
【０００１】
本発明は、印刷装置に関する。
【背景技術】
【０００２】
近年、綿、絹、ウール、化学繊維、混紡等の布帛に対する捺染では、布帛の表面に向かってインクを吐出し布帛に模様などの印刷を行うインクジェット方式の印刷装置が使用されている。捺染で使用される印刷装置は、伸縮性のある布帛を記録媒体として扱うために、粘着性を有する無端ベルトに記録媒体を載置して移動させている。このような印刷装置では、無端ベルトの厚み方向の寸法ばらつきにより無端ベルトの移動量に誤差が生じる。このため、例えば、特許文献１には、テスト印刷により搬送ベルト（無端ベルト）の送り位置に応じた補正送り量を求め、無端ベルトの送り量を補正送り量に補正するインクジェット記録装置（印刷装置）が開示されている。これにより、無端ベルトの接合部の厚さに起因する送り量の変動を制御できると記されている。
【先行技術文献】
【特許文献】
【０００３】
【特許文献１】特許第５３３２８８４号公報
【発明の概要】
【発明が解決しようとする課題】
【０００４】
このような無端ベルトを備えた印刷装置では、無端ベルトの厚みばらつきに加え、無端ベルトを移動させるベルト駆動ローラーの偏心や記録媒体の種類、印刷時に指定される各種の印刷条件等により無端ベルトの移動誤差量が異なる。しかしながら、特許文献１に記載の印刷装置は、無端ベルトの厚みばらつき以外に起因する無端ベルトの移動誤差を補正する手段を備えていなかった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る印刷装置は、駆動ローラーと、前記駆動ローラーの回転により記録媒体を移動させる無端ベルトと、前記駆動ローラーの原点位置と前記無端ベルトの移動誤差との関係を表すローラー補正テーブルを取得するローラー補正テーブル取得手段と、前記無端ベルトの原点位置と前記無端ベルトの移動誤差との関係を表すベルト補正テーブルを取得するベルト補正テーブル取得手段と、前記ローラー補正テーブルと前記ベルト補正テーブルとに基づいて前記駆動ローラーの回転量を算出して前記駆動ローラーの駆動を制御する制御部と、を有していること、を特徴とする。
【０００７】
本適用例によれば、印刷装置は、駆動ローラーの原点位置と無端ベルトの移動誤差との関係を表すローラー補正テーブルを取得するローラー補正テーブル取得手段を有している。換言すると、印刷装置は、駆動ローラーの偏心に起因する無端ベルトの移動誤差を求める手段を有している。また、印刷装置は、無端ベルトの原点位置と無端ベルトの移動誤差との関係を表すベルト補正テーブルを取得するベルト補正テーブル取得手段を有している。換言すると、印刷装置は、無端ベルトの厚さに起因する無端ベルトの移動誤差を求める手段を有している。印刷装置の制御部は、ローラー補正テーブルとベルト補正テーブルとに基づいて駆動ローラーの回転量を算出して駆動ローラーを駆動するので、無端ベルトの厚みばらつきに加え、駆動ローラーの偏心に起因する無端ベルトの移動誤差が補正される。これにより、無端ベルトの移動精度及び無端ベルト上に載置されている記録媒体の搬送精度が向上するので、記録媒体に記録される画像の印刷品質を向上させることができる。したがって、記録媒体の搬送精度を向上させて画像の印刷品質を向上させた印刷装置を提供することができる。
【０００８】
［適用例２］上記適用例に記載の印刷装置は、印刷時に指定される印刷条件に対応する前記ローラー補正テーブル及び前記ベルト補正テーブルを有し、前記制御部は、指定された印刷条件に適合する前記ローラー補正テーブル及び前記ベルト補正テーブルを選択すること、が好ましい。
【０００９】
本適用例によれば、印刷装置は、印刷時に指定される各種の印刷条件に基づいて取得されたローラー補正テーブルとベルト補正テーブルとを有している。印刷装置の制御部が、指定された印刷条件に適合するローラー補正テーブルとベルト補正テーブルとを選択し、駆動ローラーの回転量を算出して駆動ローラーを駆動することで、印刷条件に起因する無端ベルトの移動誤差を含めた補正を行うことができる。
【００１０】
［適用例３］上記適用例に記載の印刷装置において、前記印刷条件は、印刷品質を含むこと、が好ましい。
【００１１】
本適用例によれば、印刷装置は、印刷時に指定される印刷品質に基づいて取得されたローラー補正テーブルとベルト補正テーブルとを有している。印刷品質には、例えば、印刷画質を優先したモードや、印刷速度を優先したモード等がある。具体的には、印刷品質に応じて印刷速度が違っている。無端ベルトの移動誤差量は、印刷速度によって異なるので、本適用例の印刷装置は、印刷品質に応じた印刷速度の違いに起因する無端ベルトの移動誤差を含めた補正を行うことができる。
【００１２】
［適用例４］上記適用例に記載の印刷装置において、前記印刷条件は、前記記録媒体の媒体種類を含むこと、が好ましい。
【００１３】
本適用例によれば、印刷装置は、印刷に使用される記録媒体に基づいて取得されたローラー補正テーブルとベルト補正テーブルとを有している。無端ベルトの移動誤差量は、使用する記録媒体の伸縮性などによって異なるので、本適用例の印刷装置は、使用する記録媒体に起因する無端ベルトの移動誤差を含めた補正を行うことができる。
【００１４】
［適用例５］上記適用例に記載の印刷装置において、前記印刷条件は、前記記録媒体を搬送させる際の張力に関する条件を含むこと、が好ましい。
【００１５】
本適用例によれば、印刷装置は、印刷時に指定される記録媒体を搬送させる際の張力に関する条件に基づいて取得されたローラー補正テーブルとベルト補正テーブルとを有している。搬送方法には、例えば、記録媒体に所定の張力を加えて搬送させる「テンションモード」や、記録媒体へのダメージを軽減させて搬送させる「たるみモード」等がある。無端ベルトの移動誤差量は、記録媒体の搬送モードによって異なるので、本適用例の印刷装置は、記録媒体の搬送方法に起因する無端ベルトの移動誤差を含めた補正を行うことができる。
【００１６】
［適用例６］上記適用例に記載の印刷装置は、前記記録媒体の移動方向において、前記無端ベルトの上流側及び下流側の少なくとも一方に前記記録媒体に加わる張力を計測する張力計測部と、前記張力計測部で計測された張力に対応する前記ローラー補正テーブル及び前記ベルト補正テーブルと、を有し、前記制御部は、前記張力計測部で計測された張力に適合する前記ローラー補正テーブル及び前記ベルト補正テーブルを選択すること、が好ましい。
【００１７】
本適用例によれば、印刷装置は、張力計測部で計測された記録媒体の張力に基づいて取得されたローラー補正テーブルとベルト補正テーブルとを有している。制御部は、張力計測部で計測された張力に適合したローラー補正テーブルとベルト補正テーブルとを選択するので、印刷中において記録媒体の張力に変動があった場合でも、張力に起因する無端ベルトの移動誤差を含めた補正を行うことができる。
【図面の簡単な説明】
【００１８】
【図１】実施形態１に係る印刷装置の概略全体構成を示す模式図。
【図２】無端ベルトを拡大表示した斜視図。
【図３】移動量検出センサーの断面図。
【図４】印刷装置の電気的な構成を示す電気ブロック図。
【図５】無端ベルトの搬送誤差の一例を示す図。
【図６】ベルト駆動ローラーの駆動軸原点を説明する図。
【図７】ローラー補正テーブルの一例を示す図。
【図８】無端ベルトのベルト位相を説明する図。
【図９】ベルト補正テーブルの一例を示す図。
【図１０】印刷装置の印刷動作を説明するフローチャート図。
【図１１】実施形態２に係る印刷装置の概略全体構成を示す模式図。
【図１２】テンション計測部の拡大図。
【発明を実施するための形態】
【００１９】
以下、本発明の実施形態について、図面を参照して説明する。なお、以下の各図においては、各層や各部材を認識可能な程度の大きさにするため、各層や各部材の尺度を実際とは異ならせている。
また、図１から図３、図６、図８、図１１及び図１２では、説明の便宜上、互いに直交する三軸として、Ｘ軸、Ｙ軸及びＺ軸を図示しており、軸方向を図示した矢印の先端側を「＋側」、基端側を「−側」としている。また、以下では、Ｘ軸に平行な方向を「Ｘ軸方向」、Ｙ軸に平行な方向を「Ｙ軸方向」、Ｚ軸に平行な方向を「Ｚ軸方向」という。
【００２０】
（実施形態１）
＜印刷装置の概略構成＞
図１は、実施形態１に係る印刷装置の概略全体構成を示す模式図である。印刷装置１００は、記録媒体９５に画像などを形成することで記録媒体９５の捺染を行うものである。記録媒体９５としては、例えば、綿、ウール、化学繊維、混紡などの布帛が用いられる。本実施形態では、帯状の記録媒体９５に対してロール方式で画像を形成する構成を例に上げて説明するが、これに限定するものではない。例えば、枚葉式などの方式であってもよい。
【００２１】
図１に示すように、印刷装置１００は、記録媒体供給部１０、記録媒体搬送部２０、記録媒体回収部３０、印刷部４０、洗浄ユニット５０、媒体密着部６０、及び乾燥部９７などを備えている。そして、これらの各部を制御する制御部１を有している。印刷装置１００の各部は、フレーム部９２に取り付けられている。
【００２２】
記録媒体供給部１０は、画像を形成させる記録媒体９５を印刷部４０側に供給するものである。記録媒体供給部１０は、供給軸部１１及び軸受部１２を有している。供給軸部１１は、円筒状又は円柱状に形成されており、円周方向に回転可能に設けられている。供給軸部１１には、帯状の記録媒体９５がロール状に巻かれている。供給軸部１１は、軸受部１２に対して着脱可能に取り付けられている。これにより、予め供給軸部１１に巻かれた状態の記録媒体９５は、供給軸部１１と共に軸受部１２に取り付けできるようになっている。
【００２３】
軸受部１２は、供給軸部１１の軸方向の両端を回転可能に支持している。記録媒体供給部１０は、供給軸部１１を回転駆動させる回転駆動部（図示せず）を有している。回転駆動部は、記録媒体９５が送り出される方向に供給軸部１１を回転させる。回転駆動部の動作は、制御部１によって制御される。
【００２４】
記録媒体搬送部２０は、記録媒体９５を記録媒体供給部１０から記録媒体回収部３０まで搬送するものである。記録媒体搬送部２０は、搬送ローラー２１、テンションローラー２２、搬送ローラー２３、ベルト回転ローラー２４、駆動ローラーとしてのベルト駆動ローラー２５、無端ベルト２６、搬送ローラー２７、テンションローラー２８及び搬送ローラー２９を備えている。
【００２５】
搬送ローラー２１，２３及びテンションローラー２２は、記録媒体９５を記録媒体供給部１０から無端ベルト２６まで中継する。搬送ローラー２１，２３は、フレーム部９２に固定されている固定ローラーであり、テンションローラー２２は、搬送ローラー２１と搬送ローラー２３との間に設けられ鉛直方向（Ｚ軸方向）に可動する可動ローラーである。テンションローラー２２を鉛直方向に可動させることで、記録媒体供給部１０から無端ベルト２６に供給される記録媒体９５の張力が可変できるようになっている。
【００２６】
無端ベルト２６は、帯状のベルトの両端部が接続されて無端状に形成されており、ベルト回転ローラー２４及びベルト駆動ローラー２５に掛けられている。無端ベルト２６は、ベルト回転ローラー２４とベルト駆動ローラー２５との間の部分が床面９９に対して平行になるように、所定の張力が作用した状態で保持されている。無端ベルト２６の表面（支持面）２６ａには、記録媒体９５を粘着させる粘着層２６ｃが設けられている。無端ベルト２６は、搬送ローラー２３から供給され、後述する媒体密着部６０で粘着層２６ｃに密着された記録媒体９５を支持（保持）している。これにより、伸縮性のある布帛などを記録媒体９５として扱うことができる。
【００２７】
ベルト回転ローラー２４及びベルト駆動ローラー２５は、無端ベルト２６の内周面２６ｂを支持する。なお、ベルト回転ローラー２４とベルト駆動ローラー２５との間に、無端ベルト２６を支持する支持部が設けられた構成であってもよい。
【００２８】
無端ベルト２６は、ベルト駆動ローラー２５の回転により記録媒体を移動させる。詳しくは、ベルト駆動ローラー２５が駆動されるとベルト駆動ローラー２５の回転に伴って無端ベルト２６が回転し、無端ベルト２６の回転によりベルト回転ローラー２４が回転する。無端ベルト２６の回転により、無端ベルト２６に支持された記録媒体９５が矢印で図示する所定の搬送方向に搬送され、後述する印刷部４０で記録媒体９５に画像が形成される。本実施形態では、無端ベルト２６の表面２６ａが印刷部４０と対向する側（＋Ｚ軸側）において記録媒体９５が支持され、記録媒体９５が無端ベルト２６と共にベルト回転ローラー２４側からベルト駆動ローラー２５側に搬送される。また、無端ベルト２６の表面２６ａが洗浄ユニット５０と対向する側（−Ｚ軸側）においては、無端ベルト２６のみがベルト駆動ローラー２５側からベルト回転ローラー２４側に移動する。
【００２９】
搬送ローラー２７は、画像の形成された記録媒体９５を無端ベルト２６の粘着層２６ｃから剥離させる。搬送ローラー２７，２９及びテンションローラー２８は、記録媒体９５を無端ベルト２６から記録媒体回収部３０まで中継する。搬送ローラー２７，２９は、フレーム部９２に固定されている固定ローラーであり、テンションローラー２８は、搬送ローラー２７と搬送ローラー２９との間に設けられ鉛直方向（Ｚ軸方向）に可動する可動ローラーである。テンションローラー２８を鉛直方向に可動させることで、無端ベルト２６から剥離され記録媒体回収部３０に回収される記録媒体９５の張力が可変できるようになっている。なお、後述する記録媒体９５を搬送させる際の張力に関する条件である「テンションモード」や「たるみモード」は、テンションローラー２２，２８の可動によって実現される。
【００３０】
記録媒体回収部３０は、記録媒体搬送部２０によって搬送された記録媒体９５を回収する。記録媒体回収部３０は、巻取り軸部３１及び軸受部３２を有している。巻取り軸部３１は、円筒状又は円柱状に形成されており、円周方向に回転可能に設けられている。巻取り軸部３１には、帯状の記録媒体９５がロール状に巻き取られている。巻取り軸部３１は、軸受部３２に対して着脱可能に取り付けられている。これにより、巻取り軸部３１に巻き取られた状態の記録媒体９５は、巻取り軸部３１と共に取り外せるようになっている。
【００３１】
軸受部３２は、巻取り軸部３１の軸線方向の両端を回転可能に支持している。記録媒体回収部３０は、巻取り軸部３１を回転駆動させる回転駆動部（図示せず）を有している。回転駆動部は、記録媒体９５が巻き取られる方向に巻取り軸部３１を回転させる。回転駆動部の動作は、制御部１によって制御される。
【００３２】
なお、本実施形態では、搬送ローラー２７とテンションローラー２８との間に乾燥部９７が配置されている。乾燥部９７は、記録媒体９５上に形成された画像を乾燥するものである。乾燥部９７には、例えば、ＩＲヒーターを含み、ＩＲヒーターを駆動させることにより記録媒体９５上に形成された画像を短時間で乾燥させることができる。これにより、画像の形成された帯状の記録媒体９５を巻取り軸部３１に巻き取ることができる。
【００３３】
媒体密着部６０は、記録媒体９５を無端ベルト２６に密着させるものである。媒体密着部６０は、記録媒体９５の搬送方向に対して印刷部４０よりも上流側（−Ｘ軸側）に配置されている。媒体密着部６０は、押圧ローラー６１、押圧ローラー駆動部６２及びローラー支持部６３を有している。押圧ローラー６１は、円筒状又は円柱状に形成されており、円周方向に回転可能に設けられている。押圧ローラー６１は、搬送方向に沿った方向に回転するように、軸線方向が搬送方向と交差するように配置されている。ローラー支持部６３は、無端ベルト２６を挟んで押圧ローラー６１と対向する無端ベルト２６の内周面２６ｂ側に設けられている。
【００３４】
押圧ローラー駆動部６２は、押圧ローラー６１を鉛直方向の下方側（−Ｚ軸側）に押圧しながら搬送方向（＋Ｘ軸方向）、及び搬送方向と逆向きの方向（−Ｘ軸方向）に押圧ローラー６１を移動させる。搬送ローラー２３から搬送され、無端ベルト２６に重ね合された記録媒体９５は、押圧ローラー６１とローラー支持部６３との間で無端ベルト２６に押し当てられる。これにより、無端ベルト２６の表面２６ａに設けられている粘着層２６ｃに記録媒体９５を確実に粘着させることができ、無端ベルト２６上での記録媒体９５の浮きの発生を防止することができる。
【００３５】
印刷部４０は、記録媒体９５に向けてインクを液滴として吐出するインクジェット方式の吐出ヘッド４２と、吐出ヘッド４２が搭載されたキャリッジ４３を移動させるキャリッジ移動部４１などを有している。印刷部４０は、無端ベルト２６の配置位置に対して上方（＋Ｚ軸側）に配置されている。吐出ヘッド４２には、複数のノズル列４５が形成されている吐出面４４が備えられている。例えば、吐出面４４には、４つのノズル列４５が形成され、ノズル列４５毎に異なる色のインク（例えば、シアン：Ｃ、マゼンタ：Ｍ、イエロー：Ｙ、ブラック：Ｋ）が吐出されるようになっている。吐出面４４は、無端ベルト２６によって搬送される記録媒体９５と対向している。
【００３６】
キャリッジ移動部４１は、記録媒体９５の搬送方向と交差する方向（記録媒体９５の幅方向（Ｙ軸方向））に吐出ヘッド４２を移動させる。キャリッジ４３は、Ｙ軸方向に沿って配置されたガイドレール（図示せず）に支持され、キャリッジ移動部４１によって±Ｙ軸方向に往復移動可能に構成されている。キャリッジ移動部４１としては、例えば、ボールねじとボールナットとを組み合わせた機構や、リニアガイド機構などを採用することができる。
【００３７】
さらに、キャリッジ移動部４１には、キャリッジ４３をＹ軸方向に沿って移動させるための動力源として、モーター（図示せず）が設けられている。制御部１の制御によりモーターが駆動されると、吐出ヘッド４２は、キャリッジ４３と共にＹ軸方向に沿って往復移動する。なお、本実施形態では、吐出ヘッド４２として、可動のキャリッジに搭載され記録媒体９５の幅方向（±Ｙ軸方向）に移動しながらインクを吐出するシリアルヘッド式を例示したが、記録媒体９５の幅方向（Ｙ軸方向）に延在し固定して配列されたラインヘッド式であってもよい。
【００３８】
印刷装置１００は、無端ベルト２６を洗浄するための洗浄ユニット５０を備えている。洗浄ユニット５０は、洗浄部５１、押圧部５２及び移動部５３を有している。移動部５３は、床面９９に沿って洗浄ユニット５０を一体的に移動させて所定の位置に固定することが可能である。洗浄ユニット５０は、Ｘ軸方向においてベルト回転ローラー２４とベルト駆動ローラー２５の間に配置されている。
【００３９】
押圧部５２は、例えば、エアーシリンダー５６とボールブッシュ５７とで構成された昇降装置であり、その上部に備えられている洗浄部５１を洗浄位置と退避位置とに移動可能にさせている。洗浄位置とは、洗浄ローラー５８及びブレード５５が無端ベルト２６と当接する位置である。退避位置とは、洗浄ローラー５８及びブレード５５が無端ベルト２６と離間する位置である。洗浄部５１は、洗浄位置において、ベルト回転ローラー２４とベルト駆動ローラー２５との間で所定の張力が作用した状態で掛けられている無端ベルト２６の表面（支持面）２６ａを下方（−Ｚ軸方向）から洗浄する。なお、図１は、洗浄部５１を上昇させて洗浄位置に配置させた場合を示している。
【００４０】
洗浄部５１は、洗浄槽５４、洗浄ローラー５８及びブレード５５を有している。洗浄槽５４は、無端ベルト２６の表面２６ａに付着したインクや異物の洗浄に用いる洗浄液を貯留する槽であり、洗浄ローラー５８及びブレード５５は洗浄槽５４の内側に設けられている。洗浄液としては、例えば、水や水溶性溶剤（アルコール水溶液など）を用いることができ、必要に応じて界面活性剤や消泡剤を添加してもよい。
【００４１】
洗浄ローラー５８の下側（−Ｚ軸側）は、洗浄槽５４に貯留されている洗浄液に浸漬している。洗浄位置において洗浄ローラー５８が回転すると、洗浄液が無端ベルト２６の表面２６ａに供給されると共に、洗浄ローラー５８と無端ベルト２６とが摺動する。これにより、無端ベルト２６に付着したインクや記録媒体９５としての布帛の繊維などが洗浄ローラー５８で取り除かれる。
【００４２】
ブレード５５は、例えば、シリコンゴムなどの可撓性を有する材料で形成されている。ブレード５５は、無端ベルト２６の搬送方向において洗浄ローラー５８よりも下流側に設けられている。無端ベルト２６とブレード５５とが摺動することにより、無端ベルト２６の表面２６ａに残っている洗浄液が除去される。
【００４３】
図２は、無端ベルトを拡大表示した斜視図である。図３は、移動量検出センサーの断面図である。図２及び図３を参照して無端ベルト２６の原点位置や移動量を求める移動量検出センサー７０及びベルト原点センサー８０について説明する。
【００４４】
ベルト原点センサー８０は、無端ベルト２６の原点を検出するものである。図２に示すように、無端ベルト２６の幅方向（Ｙ軸方向）において、粘着層２６ｃの形成されていない表面２６ａ上の両端部に、無端ベルト２６の原点としてのマーカー８１が設けられている。ベルト原点センサー８０は、マーカー８１の鉛直方向上方（＋Ｚ軸側）に設けられている。マーカー８１が無端ベルト２６の移動に伴って移動し、ベルト原点センサー８０の下方を通過した時、ベルト原点センサー８０はマーカー８１を検知し、その検知信号を出力する。
【００４５】
移動量検出センサー７０は、無端ベルト２６の実移動量を画像処理計測するものである。移動量検出センサー７０は、無端ベルト２６の移動前と移動後との位置を比較して無端ベルト２６が実際に移動した実移動量を求めるための画像を撮像する。図２及び図３に示すように、移動量検出センサー７０は、無端ベルト２６を挟んで印刷部４０（図１参照）と対向する位置に設けられ、無端ベルト２６の内周面２６ｂを撮像する。
【００４６】
なお、本実施形態では、移動量検出センサー７０が無端ベルト２６の内周面２６ｂに設けられている構成を示したが、これに限定するものではない。移動量検出センサー７０は、無端ベルト２６の粘着層２６ｃが形成されていない表面２６ａや無端ベルト２６に載置されている記録媒体９５の表面を撮像可能な位置に設けられていてもよい。また、移動量検出センサー７０は、印刷部４０の近傍に設けられていることが好ましい。また、無端ベルト２６の表面２６ａ又は内周面２６ｂを撮像する場合は、被撮像部の表面に凹凸が形成されていることが好ましい。これにより、鮮明な画像が撮像されるので無端ベルト２６の移動量の算出精度が向上する。
【００４７】
図３に示すように、移動量検出センサー７０は、ケース７６の内部に発光部７２、集光レンズ７３、撮像素子７４などを備えている。
ケース７６は、移動量検出センサー７０の外装を構成している。ケース７６は、円錐台筒状をなしており、その先端部（上端部）に透光ガラス７１が取着されている。この透光ガラス７１は、無端ベルト２６の内周面２６ｂとの間に隙間を介在させた状態で上下に対向している。
【００４８】
発光部７２は、無端ベルト２６に向かって光を照射するものである。発光部７２は、透光ガラス７１に向かって光を出射可能な角度姿勢でケース７６の内壁面に設けられている。発光部７２には、例えば、発光ダイオード（ＬＥＤ）などを用いることができる。
集光レンズ７３は、発光部７２から出射されて透光ガラス７１を透過した光が無端ベルト２６の内周面２６ｂで反射した後に再び透光ガラス７１を透過してケース７６内に入射した反射光を集光させるものであり、ケース７６の筒状部に設けられている。
【００４９】
撮像素子７４は、集光レンズ７３により集光された無端ベルト２６の内周面２６ｂの像を撮像するものであり、像が結像される位置に撮像面７４ａを有している。撮像素子７４は、ケース７６の内底面に設けられている。なお、集光レンズ７３は、撮像素子７４の撮像面７４ａ上に無端ベルト２６の内周面２６ｂの像が結像され得る高さに、保持部材７５を介して保持されている。
【００５０】
移動量検出センサー７０は、撮像素子７４で撮像された撮像データを制御部１に出力する。制御部１は、無端ベルト２６の移動前後の撮像データを比較し、無端ベルト２６が実際に移動した実移動量を算出する。
【００５１】
なお、本実施形態では、無端ベルト２６の実移動量の計測方法として、移動量検出センサー７０を用いる方法を例示したが、これに限定するものではない。無端ベルト２６の実移動量の計測方法は、レーザー測長器を用いる方法であってもよい。例えば、無端ベルト２６の上に無端ベルト２６の移動方向に沿って出射されたレーザー光を反射させる反射体を設け、固定されたレーザー測長器と、無端ベルト２６と共に移動する反射体と、の距離を測定することで、無端ベルト２６の実移動量を計測することができる。また、無端ベルト２６の移動と、フォト紙などの記録媒体９５への液滴の吐出とを繰り返し、記録媒体９５に形成された計測パターン（ドット）の位置をマイクロスコープなどで計測することで、無端ベルト２６の実移動量を求めることができる。
【００５２】
＜印刷装置の電気的構成＞
図４は、印刷装置の電気的な構成を示す電気ブロック図である。次に、印刷装置１００の電気的構成について図４を参照して説明する。
【００５３】
制御部１は印刷装置１００の制御を行うための制御ユニットである。制御部１は、制御回路４と、インターフェイス部（Ｉ／Ｆ）２と、ＣＰＵ（Ｃｅｎｔｒａｌ  Ｐｒｏｃｅｓｓｉｎｇ  Ｕｎｉｔ）３と、記憶部５とを含んで構成されている。インターフェイス部２は、コンピューターやデジタルカメラなどの画像を取り扱う外部装置６と印刷装置１００との間でデータの送受信を行うためのものである。ＣＰＵ３は、検出器群７からの入力信号処理や印刷装置１００全体の制御を行うための演算処理装置である。検出器群７は、無端ベルト２６の移動量を計測するための移動量検出センサー７０、無端ベルト２６のベルト原点を検出するベルト原点センサー８０、ベルト駆動ローラー２５の駆動軸原点を検出する駆動軸原点センサー８５を含んでいる。
【００５４】
記憶部５は、ＣＰＵ３のプログラムを格納する領域や作業領域などを確保するためのものであり、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）などの記憶素子を有している。また、記憶部５には、後述する無端ベルト２６の搬送誤差を補正するローラー補正テーブル及びベルト補正テーブルが格納される。
【００５５】
ＣＰＵ３は、外部装置６から受信した印刷データや印刷条件に基づいて、制御回路４により、無端ベルト２６を搬送方向に移動させるベルト駆動ローラー２５、吐出ヘッド４２が搭載されているキャリッジ４３を搬送方向と交差する方向に移動させるキャリッジ移動部４１、記録媒体９５に向かってインクを吐出させる吐出ヘッド４２及び図示しない各装置を制御する。なお、本実施形態の印刷条件としては、例えば、「きれい」や「はやい」などで表現される印刷品質、記録媒体９５として使用される媒体種類、「テンションモード」や「たるみモード」などで表現される記録媒体を搬送させる際の張力に関する条件、を含んでいる。
【００５６】
＜搬送誤差＞
次に、無端ベルト２６の搬送誤差について説明する。
図５は、無端ベルトの搬送誤差の一例を示す図である。図５の横軸は、無端ベルト２６を所定の位置（例えば、マーカー８１の原点位置）から所定の移動量で繰り返し移動し、無端ベルト２６を一回転させた時の積算移動量を表している。すなわち、図５の横軸の最大値は、無端ベルト２６の長さに相当する。図５の縦軸は、所定の移動量に対して無端ベルト２６の移動前後で撮像された撮像データから算出された実移動量との差異（以下、搬送誤差ともいう）を表している。
【００５７】
図５に示すように、搬送誤差は、区間Ａの間隔で周期的に表れる誤差と、区間Ｂで示す特異的に表れる誤差が混在している。区間Ａの長さはベルト駆動ローラー２５の外周の長さに略等しく、区間Ａの搬送誤差はベルト駆動ローラー２５の駆動に起因していることがわかる。これは、ベルト駆動ローラー２５の円周（外周）の中心と、ベルト駆動ローラー２５を回転駆動させる回転軸の中心と、がずれる所謂ベルト駆動ローラー２５の偏心によって生じる搬送誤差である。区間Ｂは無端ベルト２６の接続部の位置に相当し、区間Ｂの搬送誤差は無端ベルト２６の厚さに起因していることがわかる。なお、無端ベルト２６の接続部以外においても、無端ベルト２６の厚さに起因する搬送誤差が含まれている。
【００５８】
図６は、ベルト駆動ローラーの駆動軸原点を説明する図である。ベルト駆動ローラー２５は駆動軸原点センサー８５を備えている。また、本説明では、駆動軸原点センサー８５の位置をベルト駆動ローラー２５の基準位置とする。駆動軸原点センサー８５としては、例えば、駆動軸原点としてのマーカーを備えたロータリーエンコーダーなどを用いことができる。駆動軸原点はベルト駆動ローラー２５の回転駆動によってその位置が移動する。なお、以下の説明では、駆動軸原点の位置をベルト駆動ローラー２５の中心と基準位置とを結ぶ線と、ベルト駆動ローラー２５の中心と駆動軸原点とを結ぶ線と、でなす角度θで表す。なお、ベルト駆動ローラー２５の駆動軸原点は、駆動軸原点の絶対位置を回転角度に応じたコードで出力するアブソリュート型ロータリーエンコーダーを用いて求めてもよい。
【００５９】
図７は、ローラー補正テーブルの一例を示す図である。ローラー補正テーブルは、駆動ローラーの原点位置と無端ベルトの移動誤差との関係を表している。本実施形態では、複数の印刷条件に対応する複数のローラー補正テーブルが記憶部５に格納されている。
図７に示すローラー補正テーブルの行のパラメーターには、ベルト駆動ローラー２５の駆動軸原点の位置が角度θで示され、列のパラメーターには、無端ベルト２６の所定の移動量としての基準移動量Ｋｎが示されている。そして、各々のパラメーター（角度θ、基準移動量Ｋｎ）の交差位置には、移動量の補正値αが示されている。
【００６０】
ローラー補正テーブルを取得するローラー補正テーブル取得手段は、制御部１がベルト駆動ローラー２５を駆動（回転）して無端ベルト２６を送り出した基準移動量Ｋｎと、移動量検出センサー７０で求めた無端ベルト２６の実移動量とから移動量の補正値αを算出する。制御部１がベルト駆動ローラー２５の回転と補正値αの算出とを繰り返し、少なくともベルト駆動ローラー２５の１周分（３６０°分）の補正値αを求める。これにより図７に例示したベルト駆動ローラー２５の偏心に起因する移動誤差を補正するローラー補正テーブルを取得することができる。なお、補正値αは、無端ベルト２６の接続部がベルト回転ローラー２４及びベルト駆動ローラー２５に位置しない場合に求めることが好ましい。これにより、無端ベルト２６の接続部の厚さに起因する搬送誤差の影響を排除することができる。
【００６１】
図８は、無端ベルトのベルト位相を説明する図である。本説明では、ベルト原点センサー８０の位置を無端ベルト２６の基準位置とする。無端ベルト２６の原点位置としてのマーカー８１は、ベルト駆動ローラー２５の回転駆動によってその位置が移動する。以下の説明では、無端ベルト２６の原点位置としてのマーカー８１と基準位置との差をベルト位相Ｄで表す。
【００６２】
図９は、ベルト補正テーブルの一例を示す図である。ベルト補正テーブルは、無端ベルトの原点位置と無端ベルトの移動誤差との関係を表している。本実施形態では、複数の印刷条件に対応する複数のベルト補正テーブルが記憶部５に格納されている。
図９に示すベルト補正テーブルの行のパラメーターには、無端ベルト２６の原点位置（マーカー８１の位置）がベルト位相Ｄで示され、列のパラメーターには、無端ベルト２６の所定の移動量としての基準移動量Ｋｎが示されている。そして、各々のパラメーター（ベルト位相Ｄ、基準移動量Ｋｎ）の交差位置には、移動量の補正値δが示されている。
【００６３】
ベルト補正テーブルを取得するベルト補正テーブル取得手段は、制御部１がベルト駆動ローラー２５を駆動（回転）して無端ベルト２６を送り出した基準移動量Ｋｎと、移動量検出センサー７０で求めた無端ベルト２６の実移動量とから移動量の補正値δを算出する。制御部１がベルト駆動ローラー２５の回転と補正値δの算出とを繰り返し、少なくとも無端ベルト２６の１周分（３６０°分）の補正値δを求める。これにより、図９に例示した無端ベルト２６の厚さに起因する移動誤差を補正するベルト補正テーブルを取得することができる。なお、ベルト補正テーブルを取得する際は、ベルト駆動ローラー２５の駆動軸原点の位置（角度θ）を求めローラー補正テーブルを参酌することでベルト駆動ローラー２５の偏心に起因する搬送誤差を排除した補正値δを取得することができる。
【００６４】
本実施形態では、「きれい」、「媒体種類Ａ」、「テンションモード」の印刷条件で印刷装置１００を駆動させて取得したローラー補正テーブルとベルト補正テーブルとを例示したが、この印刷条件に限定するものではない。ベルト補正テーブル及びローラー補正テーブルの補正値α，δは、例えば、「きれい」や「はやい」などで表現される印刷品質、記録媒体９５として使用される媒体種類、「テンションモード」や「たるみモード」などで表現される記録媒体９５を搬送させる際の張力に関する条件、などの印刷条件によって異なる。このため、本実施形態の印刷装置１００は、印刷時に指定される印刷条件に対応するローラー補正テーブル及びベルト補正テーブルを有している。詳しくは、これらの印刷条件に基づいて印刷装置１００を駆動し取得した複数のローラー補正テーブルと複数のベルト補正テーブルとを記憶部５に有している。
【００６５】
印刷装置１００の制御部１は、印刷時に指定された印刷条件に適合するローラー補正テーブル及びベルト補正テーブルを選択する。
詳しくは、印刷時に印刷品質を含む印刷条件が指定された場合、制御部１は、印刷品質をパラメーターに含めて取得し記憶部５に格納した複数のローラー補正テーブルと複数のベルト補正テーブルとから、指定された印刷品質を含む印刷条件に適合するローラー補正テーブル及びベルト補正テーブルを選択する。これにより、印刷品質に応じた印刷速度の違いに起因する無端ベルト２６の移動誤差を含めた補正値α，δを得ることができる。
印刷時に記憶媒体を含む印刷条件が指定された場合、制御部１は、記録媒体９５の媒体種類をパラメーターに含めて取得し記憶部５に格納した複数のローラー補正テーブルと複数のベルト補正テーブルとから、指定された媒体種類を含む印刷条件に適合するローラー補正テーブル及びベルト補正テーブルを選択する。これにより、記録媒体９５の種類の違いに起因する無端ベルト２６の移動誤差を含めた補正値α，δを得ることができる。
印刷時に記録媒体９５を搬送させる際の張力に関する条件を含む印刷条件が指定された場合、制御部１は、張力に関する条件をパラメーターに含めて取得し記憶部５に格納した複数のローラー補正テーブルと複数のベルト補正テーブルとから、印刷時に指定された張力に関する条件をふくむ印刷条件に適合するローラー補正テーブル及びベルト補正テーブルを選択する。これにより、記録媒体９５の張力に関する条件の違いに起因する無端ベルト２６の移動誤差を含めた補正値α，δを得ることができる。
【００６６】
＜印刷装置の印刷動作＞
図１０は、印刷装置の印刷動作を説明するフローチャート図である。図４及び図１０を参照して印刷装置１００の印刷動作について説明する。
【００６７】
ステップＳ１では、印刷データを受信する。ＣＰＵ３は、外部装置６から記録媒体９５に画像を記録する印刷データや指定された印刷条件を受信し記憶部５に格納する。
【００６８】
ステップＳ２では、補正テーブルの選択を行う。ＣＰＵ３は、記憶部５に格納されている各種の印刷条件をパラメーターとして取得した複数のローラー補正テーブル及び複数のベルト補正テーブルから、ステップＳ１で受信した印刷条件に適合するローラー補正テーブル及びベルト補正テーブルを選択する。印刷条件としては、例えば、「きれい」や「はやい」などで表現される印刷品質、記録媒体９５として使用される媒体種類、「テンションモード」や「たるみモード」などで表現される記録媒体を搬送させる際の張力などがある。受信した印刷条件が、例えば、「きれい」、「媒体種類Ａ」、「テンションモード」であった場合には、ＣＰＵ３は、図７に示したローラー補正テーブルと、図９に示したベルト補正テーブルとを選択する。
【００６９】
ステップＳ３では、ベルト駆動ローラー２５の送り量を算出する。制御部１（ＣＰＵ３）は、ローラー補正テーブルとベルト補正テーブルとに基づいてベルト駆動ローラー２５の回転量を算出する。詳しくは、ＣＰＵ３は、ベルト原点センサー８０及び駆動軸原点センサー８５から出力される信号を受信してベルト駆動ローラー２５の原点位置（角度θ）及び無端ベルト２６の原点位置（ベルト位相Ｄ）を算出する。そして、ステップＳ２で選択したローラー補正テーブルとベルト補正テーブルとを参照し、ベルト駆動ローラー２５の送り出し量（回転量）を算出する。送り出し量は、角度θと基準移動量Ｋｎとから求められる補正値αと、ベルト位相Ｄと基準移動量Ｋｎとから求められる補正値δと、を基準移動量Ｋｎに加えた値となる。
【００７０】
ステップＳ４では、記録媒体９５を搬送しインクを吐出する。制御部１は、ベルト駆動ローラー２５の駆動を制御して、ステップＳ３で算出した送り出し量でベルト駆動ローラー２５を回転し無端ベルト２６を移動する。これにより、無端ベルト２６に載置された記録媒体９５が搬送方向に搬送される。そして、制御部１は、キャリッジ移動部４１及び吐出ヘッド４２を制御して、キャリッジ４３を記録媒体９５の搬送方向と交差する方向に移動しならが、吐出ヘッド４２から記録媒体９５に向かってインクを吐出する。
【００７１】
ステップＳ５では、次行の印刷データがあるかを判断する。ＣＰＵ３は、記憶部５に格納されている印刷データを参照して次行の印刷データがあるかを判断する。次行の印刷データがある場合（ステップＳ５：Ｙｅｓ）は、ステップＳ３に戻りステップＳ３からステップＳ５を繰り返す。次行の印刷データがない場合（ステップＳ５：Ｎｏ）は、制御部１は、印刷装置１００の印刷動作を終了する。
以上のステップにより、無端ベルト２６の移動精度及び無端ベルト２６上に載置されている記録媒体９５の搬送精度が向上するので、記録媒体９５に記録される画像の印刷品質を向上させることができる。
【００７２】
以上述べたように、本実施形態に係る印刷装置１００によれば、以下の効果を得ることができる。
印刷装置１００は、ベルト駆動ローラー２５の偏心に起因する移動誤差を補正するローラー補正テーブルを取得するローラー補正テーブル取得手段と、無端ベルト２６の厚さに起因する移動誤差を補正するベルト補正テーブルを取得するベルト補正テーブル取得手段とを有している。制御部１は、記憶部５に格納されたローラー補正テーブルとベルト補正テーブルとに基づいてベルト駆動ローラー２５の回転量を算出してベルト駆動ローラー２５を駆動する。これにより、無端ベルト２６の厚みばらつきに加え、ベルト駆動ローラー２５の偏心に起因する無端ベルト２６の移動誤差を補正することができる。したがって、ベルト駆動ローラー２５の偏心に起因する無端ベルト２６の移動誤差を取得する手段を有し、その移動誤差を補正することが可能な印刷装置１００を提供することができる。
印刷装置１００は、ローラー補正テーブル取得手段とベルト補正テーブル取得手段とを有しているので、印刷装置１００に備えられている各種の印刷条件に基づいたローラー補正テーブルとベルト補正テーブルとを取得し、記憶部５に有することができる。制御部１は、印刷時に指定された印刷条件に適応するローラー補正テーブルとベルト補正テーブルとを選択し、これらのテーブルに基づいて無端ベルト２６の移動誤差を補正する。これにより、印刷条件に起因する無端ベルト２６の移動誤差を補正することができる。
印刷装置１００は、印刷品質に基づいて取得したローラー補正テーブルとベルト補正テーブルとを有しているので、印刷品質に応じた印刷速度の違いに起因する無端ベルト２６の移動誤差を含めた補正を行うことができる。
印刷装置１００は、記録媒体９５の種類に基づいて取得したローラー補正テーブルとベルト補正テーブルとを有しているので、記録媒体９５の種類の違いに起因する無端ベルト２６の移動誤差を含めた補正を行うことができる。
印刷装置１００は、記録媒体９５を搬送させる際の張力に関する条件に基づいて取得したローラー補正テーブルとベルト補正テーブルとを有しているので、記録媒体９５の張力に関する条件の違いに起因する無端ベルト２６の移動誤差を含めた補正を行うことができる。
印刷装置１００によれば、無端ベルト２６の移動精度及び無端ベルト２６上に載置されている記録媒体９５の搬送精度が向上するので、記録媒体９５に記録される画像の印刷品質を向上させることができる。
【００７３】
（実施形態２）
図１１は、実施形態２に係る印刷装置の概略全体構成を示す模式図である。図１２は、テンション計測部の拡大図である。本実施形態に係る印刷装置２００について、これらの図を参照して説明する。なお、実施形態１と同一の構成部位については、同一の番号を使用し、重複する説明は省略する。印刷装置２００は、記録媒体９５の移動方向において、無端ベルト２６の上流側及び下流側の少なくとも一方に記録媒体９５に加わる張力を計測する張力計測部１１０，１３０を有している。本実施形態の印刷装置２００は、上流側及び下流側の両方に張力計測部１１０，１３０を有している。
【００７４】
記録媒体搬送部２０は、搬送ローラー２１、可動ローラー１２２、搬送ローラー２３、ベルト回転ローラー２４、ベルト駆動ローラー２５、無端ベルト２６、搬送ローラー２７、可動ローラー１２８及び搬送ローラー２９を備えている。搬送ローラー２１，２３及び可動ローラー１２２は、記録媒体９５を記録媒体供給部１０から無端ベルト２６まで中継する。可動ローラー１２２は、搬送ローラー２１と搬送ローラー２３との間に設けられ鉛直方向（Ｚ軸方向）に可動するように構成されている。可動ローラー１２２は、記録媒体供給部１０から無端ベルト２６に供給される記録媒体９５の張力を計測する張力計測部１１０の構成部品である。
【００７５】
搬送ローラー２７，２９及び可動ローラー１２８は、記録媒体９５を無端ベルト２６から記録媒体回収部３０まで中継する。可動ローラー１２８は、搬送ローラー２７と搬送ローラー２９との間に設けられ鉛直方向（Ｚ軸方向）に可動するように構成されている。可動ローラー１２８は、無端ベルト２６から記録媒体回収部３０に回収される記録媒体９５の張力を計測する張力計測部１３０の構成部品である。
【００７６】
次に張力計測部１３０について説明する。なお、張力計測部１１０は、張力計測部１３０と同じ構成であるため、その説明を省略する。
張力計測部１３０は、可動ローラー１２８、光学センサー１４０を備えている。可動ローラー１２８は所定の質量を有し、記録媒体９５に加わる張力により可動ローラー１２８の位置が鉛直方向（Ｚ軸方向）に沿って移動する。即ち、記録媒体９５の張力が高い場合、可動ローラー１２８は＋Ｚ軸方向に位置し、記録媒体９５の張力が低い場合、可動ローラー１２８は−Ｚ軸側に位置する。
【００７７】
光学センサー１４０は、可動ローラー１２８が可動するＺ軸方向に沿って複数設けられている。本実施形態では３つの光学センサー１４０ａ，１４０ｂ，１４０ｃが＋Ｚ軸方向から−Ｚ軸方向に向かって設けられている。光学センサー１４０ａ，１４０ｂ，１４０ｃは、可動ローラー１２８の下端の位置を検出する。光学センサー１４０ａ，１４０ｂ，１４０ｃは、光を出射する発光素子等を有する発光部と、発光部から出射された光の反射光を受光する受光素子等を有する受光部とで構成されている。発光部の光軸は、Ｚ軸方向に沿って可動する可動ローラー１２８に向けられている。
【００７８】
発光部から出射された光は、可動ローラー１２８に掛止されている記録媒体９５で反射された場合に受光部で受光される。光学センサー１４０ａ，１４０ｂ，１４０ｃは、記録媒体９５で反射された反射光を受光した時に「ＯＮ」の信号を、受光できない時に「ＯＦＦ」の信号を出力する。例えば、可動ローラー１２８が第１位置１２８ａに位置する場合、光学センサー１４０ａは、「ＯＮ」の信号を出力し、光学センサー１４０ｂ，１４０ｃは、「ＯＦＦ」の信号を出力する。また、可動ローラー１２８が第３位置１２８ｃに位置する場合、光学センサー１４０ａ，１４０ｂ，１４０ｃは、「ＯＮ」の信号を出力する。
【００７９】
制御部１は、光学センサー１４０ａ，１４０ｂ，１４０ｃから出力される信号を分析することで可動ローラー１２８のＺ軸方向の位置を求めることができる。また、可動ローラー１２８のＺ軸方向の位置は、記録媒体９５に加わる張力に比例するので、制御部１は、可動ローラー１２８のＺ軸方向の位置を求めることで、記録媒体９５に加わっている張力を検出することができる。なお、本実施形態では、３つの光学センサーを用いた構成例を示したが、２つの光学センサーや４つ以上の光学センサーを用いて構成させてもよい。２つの光学センサーで構成した場合は、張力計測部のコストを低減できる。４つ以上の光学センサーを用いた場合は、記録媒体９５に加わる張力の計測精度を向上させることができる。また、可動ローラー１２８のＺ軸方向の位置を求める方法として、光学センサー１４０を用いる方法を例示したが、レーザー測長器を用いる方法であってもよい。例えば、可動ローラー１２８の鉛直上方または鉛直下方から可動ローラー１２８に向けてレーザー光を出射するレーザー測長器を設けることで、可動ローラー１２８のＺ軸方向の位置を求めることができる。
【００８０】
印刷装置２００は、ローラー補正テーブルを取得するローラー補正テーブル取得手段と、ベルト補正テーブルを取得するベルト補正テーブル取得手段とを有している。記憶部５には、これらの取得手段を用いて、張力計測部１１０，１３０で計測されうる張力をパラメーターに含めて取得したローラー補正テーブルとベルト補正テーブルとが格納されている。
【００８１】
印刷装置２００の制御部１は、印刷中に張力計測部１１０，１３０で計測された張力に適合するローラー補正テーブル及びベルト補正テーブルを選択する。
詳しくは、印刷中に張力計測部１１０，１３０で計測された張力が変動した場合、制御部１は、張力をパラメーターに含めて取得し記憶部５に格納した複数のローラー補正テーブルと複数のベルト補正テーブルとから、張力計測部１１０，１３０で計測された張力に適合するローラー補正テーブル及びベルト補正テーブルを選択する。これにより、印刷中に記録媒体９５の張力に変動があった場合でも、記録媒体９５の張力に起因する無端ベルト２６の移動誤差を含めた補正値α，δを得ることができる。制御部１は、補正値α，δを用いてベルト駆動ローラー２５の送り出し量（回転量）を算出する。
【００８２】
制御部１は、ベルト駆動ローラー２５の駆動を制御して、算出した送り出し量でベルト駆動ローラー２５を回転し無端ベルト２６を移動する。これにより、無端ベルト２６に載置された記録媒体９５が搬送方向に搬送される。
【００８３】
以上述べたように、本実施形態に係る印刷装置２００によれば、以下の効果を得ることができる。
印刷装置２００は、記録媒体９５の張力を計測する張力計測部１１０，１３０を備えている。制御部１は、張力計測部１１０，１３０で計測された張力に適合するローラー補正テーブル及びベルト補正テーブルを選択するので、印刷中において記録媒体９５の張力に変動があった場合でも、記録媒体９５の張力に起因する無端ベルト２６の移動誤差を含めた補正値α，δを得ることができる。これにより、無端ベルト２６の移動精度及び無端ベルト２６上に載置されている記録媒体９５の搬送精度が向上するので、記録媒体９５に記録される画像の印刷品質を向上させることができる。
【符号の説明】
【００８４】
１…制御部、２…インターフェイス部、３…ＣＰＵ、４…制御回路、５…記憶部、６…外部装置、７…検出器群、１０…記録媒体供給部、２０…記録媒体搬送部、２１，２３，２７，２９…搬送ローラー、２２，２８…テンションローラー、２４…ベルト回転ローラー、２５…ベルト駆動ローラー、２６…無端ベルト、３０…記録媒体回収部、４０…印刷部、５０…洗浄ユニット、６０…媒体密着部、７０…移動量検出センサー、８０…ベルト原点センサー、８５…駆動軸原点センサー、９５…記録媒体、９７…乾燥部、１００，２００…印刷装置、１１０，１３０…張力計測部、１２２，１２８…可動ローラー、１４０…光学センサー。
【図１】
0006705140.tif 000002
【図２】
0006705140.tif 000003
【図３】
0006705140.tif 000004
【図４】
0006705140.tif 000005
【図５】
0006705140.tif 000006
【図６】
0006705140.tif 000007
【図７】
0006705140.tif 000008
【図８】
0006705140.tif 000009
【図９】
0006705140.tif 000010
【図１０】
0006705140.tif 000011
【図１１】
0006705140.tif 000012
【図１２】
0006705140.tif 000013